(57)【要約】      （修正有）【課題】芳香機能を兼ね備えた香り立ちの良いチョーカータイプの装身具の提供。【解決手段】長物状の基体１と、該基体１の裏側に設けられた前記シートの収納部２と、該基体１の表側に設けられた装飾部３とを備え、収納部２の一方の側辺部には、香気性成分を含浸したシートを出し入れすることができる収納開口部２１が設けられており、芳香装身具は香気性成分を含浸したシートを収納開口部２１より収納して首周りに密着して着用する芳香装身具である。【選択図】図１
2009022538.tif 000002
【特許請求の範囲】
【請求項１】
香気性成分を含浸したシートを収納して首周りに密着して着用する芳香装身具であって、長物状の基体と、該基体の裏側に設けられた前記シートの収納部と、該基体の表側に設けられた装飾部とを備えたことを特徴とする芳香装身具。
【請求項２】
前記収納部の少なくとも肌密着部が、合成樹脂、アルミニウム積層合成樹脂、合成樹脂でコーティング加工された布からなる群から選ばれる１種または２種以上の素材により構成されていることを特徴とする請求項１に記載の芳香装身具。
【請求項３】
前記装飾部が、収納部と連通する開孔部が設けられていることを特徴とする請求項１または請求項２のいずれかに記載の芳香装身具。
【請求項４】
前記収納部が開閉自在の蓋部を備えとことを特徴とする請求項１ないし請求項３のいずれかに記載の芳香装身具。
【請求項５】
前記装飾部が花形状を模した装飾であり、該花形状の中央には収納部と連通する開孔部および該開孔部に連設した筒状体が設けられていることを特徴とする請求項１ないし請求項４のいずれかに記載の芳香装身具。
【請求項６】
前記装飾部が、香気性成分が浸透もしくは吸着容易な素材から構成されたことを特徴とする請求項１ないし請求項５のいずれかに記載の芳香装身具。
【発明の詳細な説明】
【技術分野】
【０００１】
本発明は、首周りに密着して着用する装身具に関し、更に詳細には、香気性成分を含浸したシートを収納可能な芳香装身具の構成に関するものである。
【背景技術】
【０００２】
従来、装飾機能と芳香機能とを併せ持った装身具が知られており、これらは、主に、装身具の一部もしくは全部に設けられた中空の容体に、液状の香水、固形の香水、芳香剤等を含浸させた保水材等を収納する構成となっている。
【０００３】
とりわけ、首部の装身具の場合、ペンダントトップ部分を中空の容体に形成し、かかるトップ部に上記の芳香材を収納するタイプのペンダント形装身具が一般的なものであった（特許文献１ないし３）。
【０００４】
しかしながら、かかるペンダントタイプのものは、トップ部が芳香材を収納可能な中空構造にする必要があるため、装身具として最も重要な要素であるペンダントトップの形状をデザインするうえで制約が生じ、また、その素材も限定されるため、装身具としてのデザインの自由度が損なわれるおそれがあるものであった。
【０００５】
また、通常、香水を肌に直接つける場合、皮膚温を利用して香水を揮発させることにより香り立ちが一層よくなることが知られているが、従来の容体では香水等に体温が伝わりにくく、結果として、直接肌につけたときよりも香水本来の芳香効果が得られないという問題があった。
【０００６】
更に、首部に密着して着用するいわゆる「チョーカー」とよばれるタイプの装身具には、従来、芳香機能を兼ね備えたものはなかったため、芳香機能を兼ね備えたチョーカーが望まれていた。
【特許文献１】特開平７−４７００４
【特許文献２】特開平１１−１８８０７
【特許文献３】特開２０００−１３９５２９
【発明の開示】
【発明が解決しようとする課題】
【０００７】
そこで本発明は、従来の芳香装身具のかかる欠点を克服し、芳香機能を兼ね備えた香り立ちの良いチョーカータイプの装身具の提供をその課題とするものである。
【課題を解決するための手段】
【０００８】
本発明は、上記課題を解決するものであり、香気性成分を含浸したシートを収納して首周りに密着して着用する芳香装身具であって、長物状の基体と、該基体の裏側に設けられた前記シートの収納部と、該基体の表側に設けられた装飾部とを備えたことを特徴とする芳香装身具である。
【発明の効果】
【０００９】
すなわち、本発明の芳香装身具は、従来はないチョーカータイプの芳香装身具であって、香気性成分を含浸したシートを収納するための収納部を着用時に見えない基体裏面に設けたため、表面の装飾部を自由にデザインすることができるものである。
【００１０】
さらに、着用時には肌に密着するため、香気性成分が体温によって揮発し、直接肌に香水をつけたときのような香り立ちを楽しむことができると同時に、香水を直接肌に付けるよりも肌にやさしい。
【発明を実施するための最良の形態】
【００１１】
以下、本発明の包装容器の実施態様を、図面に基づいて具体的に説明する。なお、本発明はこれら実施態様に何ら制約されるものではない。
【００１２】
図１は本発明に係る芳香装身具の背面図、図２は本発明に係る芳香装身具の正面図、図３は本発明に係る芳香装身具の収納部に香気性成分を含浸したシートを収納している状態を示す背面図である。各図中、1は基体を、２は収納部を、３は装飾部を、４はシートを、２１は収納開口部をそれぞれ示す。
【００１３】
図１、図２に示すように、本実施態様の芳香装身具は、細長帯状に形成された基体１の中央部に位置する部位の裏面に収納部２が形成されており、該収納部２が設けられた位置にほぼ対応する基体１の表面には花形状を模した装飾部３が形成されている。
【００１４】
図１に示すように、収納部２の一方の側辺部には、香気性成分を含浸したシート４を出し入れすることができる収納開口部２１が設けられており、図３に示すように、シート４はこの収納開口部２１より収納部２内へと挿入、収納される。
【００１５】
基体１の形状は、収納部２と装飾部３を設ける部分が、それらを形成することができるだけの幅・太さを有するとともに、首部に巻いて着用できるだけの長さがあればよい。本実施態様のように、全長にわたり同一の幅で形成してもよいが、たとえば、収納部２と装飾部３を設けない部分に関しては、紐状の細さに形成してもよい。基体１の素材としては、シルク・コットン等の天然繊維、化学繊維、ナイロン等の合成繊維等から構成される織布や不織布、天然皮革、合成皮革、ビニール等の合成樹脂など首部に密着させて着用できるだけの柔軟性を有しているものが好ましいが、金属など硬質な素材であっても肌に密着できるものであればよく、ベルト状、鎖状のもの等が使用できる。
【００１６】
収納部２は、その一方の側辺部に収納開口部２１を備えたポケット状に形成されている。かかる収納部２の形状は、シート４を収納可能なものであれば特に限定されない。収納部２の素材は、基体１の素材で使用するものと同一の素材から構成しても良いが、少なくとも肌に密着する部分または全体が香気性成分の透過性の低い素材もしくは透過しない素材である、ビニール等の合成樹脂、アルミニウム積層合成樹脂、合成樹脂でコーティング加工された布から選択した１種または２種以上の素材から形成すると、香水等の香気性成分が肌に直接付着することが少なく、肌に優しいため好ましい。
【００１７】
装飾部３は、本実施態様では花形状に模した装飾が３つ設けられているが、特に形状等に関する制約はなく、任意に装飾部をデザインすることができる。装飾部３の素材は、装飾にあわせて自由に選択可能であり、シルク・コットン等の天然繊維、化学繊維、ナイロン等の合成繊維等から構成される織布や不織布、天然皮革、合成皮革、合成樹脂、金属、木、天然石、人工石などから適宜選択することができる。さらに、装飾部３が、上記繊維からなる織布や不織布等の、香気性成分が浸透もしくは吸着容易な素材から形成してもよく、その場合、装飾部３の花弁部分から香気が放出されるため、長時間にわたり花弁から香りを楽しむことができて好ましい。
【００１８】
シート４は、本実施態様では矩形に形成されているが、形状はこれに限定されず、収納部２に収納可能な大きさ・形のシート状であればよい。その素材は、液体状の香気性成分を含浸させることが可能な、紙製、布製、不織布製のシートや、多孔質の樹脂シート等の中から適宜選択することができる。また、シート４に含浸させる香気性成分は香水やコロン等、任意のものを適宜選択することができる。
【００１９】
本発明の芳香装身具の使用方法は、以下のとおりである。まず、シート４に液体状の香気性成分を含浸させ、かかるシート４を収納開口部２１より収納部２内へと挿入、収納する。次に、図９に示すように、収納部２が肌に密着し装飾部３が露出するように基体１を首部へ巻き付け、図１０に示すように基体１の両端部を首部のうしろで結ぶなどして着用する。
【００２０】
図４は、開閉自在の蓋部を備えた収納部２の実施態様を示す斜視図である。この態様では、収納開口部２１が収納部２の中央近傍に設けられているが、通常の使用時には蓋部２２によって隠されている。シート４を出し入れする場合には、図５に示すように蓋部２２を開いて収納開口部２１を露出させ、そこからシート４を差し込む。かかる態様のものは、図２のものと比べてシート４の出し入れが容易になるため好ましい。
【００２１】
図６は、中央に収納部２と連通する開孔部３１が設けられている装飾部３の実施態様を示す断面図である。この図に示すように、収納部２内で体温により揮発した香気性成分が開孔部３１から花弁部分を通って外部に徐々に飛散することにより、香気がやわらかく長持ちする効果を得ることができる。また、揮発性の異なる香料素材により調合された香気性成分を用いれば、長く香る間に香りの質の変化も楽しめる。
【００２２】
図７は、中央に収納部２と連通する開孔部３１に連設した筒状体３２が設けられている装飾部３の実施態様を示す断面図、図８は、該装飾部３を設けた本発明の芳香装身具の斜視図である。この態様のものは、花の中央部分の筒状体３２が雄しべ形状に形成されており、香気性成分がこの筒状体３２の先端から外部に徐々に飛散するが、筒状体３２の筒内に綿のような繊維集合体や孔が連通した多孔質物質を入れれば、香気性成分の飛散速度のコントロールも可能となる。
【図面の簡単な説明】
【００２３】
【図１】本発明に係る芳香装身具の背面図。
【図２】本発明に係る芳香装身具の正面図。
【図３】本発明に係る芳香装身具の収納部にシートを挿入する状態を示す背面図。
【図４】開閉自在の蓋部を備えた収納部の実施態様を示す斜視透視図。
【図５】開閉自在の蓋部を備えた収納部にシートを挿入している状態を示す斜視図。
【図６】中央に収納部と連通する開孔部が設けられている装飾部の実施態様を示す断面図。
【図７】中央に収納部と連通する開孔部に連設した筒状体が設けられている装飾部の実施態様を示す断面図。
【図８】図７の態様の装飾部を設けた本発明の芳香装身具の斜視透視図。
【図９】本発明に係る芳香装身具の着用状態を示す正面図。
【図１０】本発明に係る芳香装身具の着用状態を示す背面図。
【符号の説明】
【００２４】
１          基体
２          収納部
３          装飾部
４          シート
２１          収納開口部
２２          蓋部
３１          開孔部
３２          筒状体
以    上
【図１】
2009022538.tif 000003
【図２】
2009022538.tif 000004
【図３】
2009022538.tif 000005
【図４】
2009022538.tif 000006
【図５】
2009022538.tif 000007
【図６】
2009022538.tif 000008
【図７】
2009022538.tif 000009
【図８】
2009022538.tif 000010
【図９】
2009022538.tif 000011
【図１０】
2009022538.tif 000012